(57)【要約】【課題】電力を供給する負荷回路を切り替えたときに過渡的な大電流が流れるのを防ぐ。【解決手段】直流電源回路１１０は、負荷回路８１０，８２０の入力電圧の合計値よりも低く、それぞれの負荷回路８１０，８２０の入力電圧より高い電圧の電力を生成する。第一の給電期間において、制御回路１２０は、第一のスイッチＱ３１を継続してオフし、第二のスイッチＱ３２を繰り返しオンオフする。第二の給電期間において、制御回路１２０は、第二のスイッチＱ３２を継続してオフし、第一のスイッチＱ３１を繰り返しオンオフする。制御回路１２０は、第一の給電期間と第二の給電期間とを交互に繰り返す。【選択図】図１
2012221700.tif 000002
【特許請求の範囲】
【請求項１】
互いに直列に電気接続した２つの負荷回路に対して電力を供給する電源装置において、
上記２つの負荷回路の入力電圧の合計値よりも低く、上記２つの負荷回路の入力電圧のいずれよりも高い電圧の電力を生成し、生成した電力を出力する一対の出力端子を有し、上記一対の出力端子が、上記２つの負荷回路を直列に接続した回路の両端にそれぞれ電気接続する直流電源回路と、
互いに直列に電気接続した２つのスイッチからなるスイッチ直列回路であって、両端が上記直列電源回路の一対の出力端子にそれぞれ電気接続したスイッチ直列回路と、
上記２つのスイッチにそれぞれ並列に電気接続し、上記直流電源回路の出力電圧に対して逆向きに電気接続した２つの整流素子と、
上記２つのスイッチの接続点に一端が電気接続し、上記２つの負荷回路の接続点に他端が電気接続するコイルと、
上記２つのスイッチのオンオフを制御する制御回路とを有し、
上記制御回路は、第一の給電期間において、第一のスイッチを継続してオフし、第二のスイッチを繰り返しオンオフし、第二の給電期間において、上記第二のスイッチを継続してオフし、上記第一のスイッチを繰り返しオンオフし、上記第一の給電期間と上記第二の給電期間とを交互に繰り返すことを特徴とする電源装置。
【請求項２】
上記電源装置は、上記２つの負荷回路のうちのいずれかに並列に電気接続するコンデンサを有することを特徴とする請求項１に記載の電源装置。
【請求項３】
上記コイルは、２つのコイルを直列に電気接続したものであり、
上記電源装置は、上記２つのコイルの接続点に一端を電気接続し、上記直流電源回路の一対の出力端子のいずれかに他端を電気接続したコンデンサを有することを特徴とする請求項１または請求項２に記載の電源装置。
【請求項４】
上記直流電源回路は、ＳＥＰＩＣ（Ｓｉｎｇｌｅ  Ｅｎｄｅｄ  Ｐｒｉｍａｒｙ  Ｉｎｄｕｃｔａｎｃｅ  Ｃｏｎｖｅｒｔｅｒ）回路または非反転型スイッチングコンバータ回路または反転型スイッチングコンバータ回路のうちのいずれかを有することを特徴とする請求項１乃至請求項３のいずれかに記載の電源装置。
【請求項５】
請求項１乃至請求項４のいずれかに記載の電源装置と、
上記負荷回路として上記電源装置から電力の供給を受け、供給された電力により点灯する光源を有する光源回路とを有することを特徴とする照明装置。
【発明の詳細な説明】
【技術分野】
【０００１】
この発明は、複数の負荷回路に電力を供給する電源装置に関する。
【背景技術】
【０００２】
１つの電源装置を使って複数の負荷回路に対して電力を供給することにより、電源装置の数を減らす技術がある。１つの電源装置が複数の負荷回路に対して時分割で１つずつ電力を供給する技術がある。
【先行技術文献】
【特許文献】
【０００３】
【特許文献１】特開２００９−９８１７号公報
【特許文献２】特開２００１−３５１７８９号公報
【発明の概要】
【発明が解決しようとする課題】
【０００４】
複数の負荷回路に対して時分割で電力を供給する場合、負荷回路のインピーダンスが異なると、電力を供給する負荷回路を切り替えたとき、過渡的に大電流が流れ、負荷回路や電源回路が故障したり、寿命が短くなったりする可能性がある。
この発明は、例えば上記のような課題を解決するためになされたものであり、電力を供給する負荷回路を切り替えたときに過渡的な大電流が流れるのを防ぐことを目的とする。
【課題を解決するための手段】
【０００５】
この発明にかかる電源装置は、互いに直列に電気接続した２つの負荷回路に対して電力を供給する電源装置において、上記２つの負荷回路の入力電圧の合計値よりも低く、上記２つの負荷回路の入力電圧のいずれよりも高い電圧の電力を生成し、生成した電力を出力する一対の出力端子を有し、上記一対の出力端子が、上記２つの負荷回路を直列に接続した回路の両端にそれぞれ電気接続する直流電源回路と、互いに直列に電気接続した２つのスイッチからなるスイッチ直列回路であって、両端が上記直列電源回路の一対の出力端子にそれぞれ電気接続したスイッチ直列回路と、上記２つのスイッチにそれぞれ並列に電気接続し、上記直流電源回路の出力電圧に対して逆向きに電気接続した２つの整流素子と、上記２つのスイッチの接続点に一端が電気接続し、上記２つの負荷回路の接続点に他端が電気接続するコイルと、上記２つのスイッチのオンオフを制御する制御回路とを有し、上記制御回路は、第一の給電期間において、第一のスイッチを継続してオフし、第二のスイッチを繰り返しオンオフし、第二の給電期間において、上記第二のスイッチを継続してオフし、上記第一のスイッチを繰り返しオンオフし、上記第一の給電期間と上記第二の給電期間とを交互に繰り返すことを特徴とする。
【発明の効果】
【０００６】
この発明にかかる電源装置によれば、一方の負荷回路に対して電力を供給している間は、他方の負荷回路の両端電圧が低くなるので、電力を供給する負荷回路を切り替えたとき、過渡的に大電流が流れるのを防ぐことができる。
【図面の簡単な説明】
【０００７】
【図１】実施の形態１における照明装置８００の構成を示す回路図。
【図２】実施の形態１における電源装置１００の動作を示すタイミング図。
【図３】実施の形態２における照明装置８００の構成を示す回路図。
【図４】実施の形態２における照明装置８００の構成の別の例を示す回路図。
【図５】実施の形態２における照明装置８００の構成の更に別の例を示す回路図。
【図６】実施の形態３における照明装置８００の構成を示す回路図。
【図７】実施の形態４における照明装置８００の構成を示す回路図。
【発明を実施するための形態】
【０００８】
実施の形態１．
実施の形態１について、図１〜図２を用いて説明する。
【０００９】
図１は、この実施の形態における照明装置８００の構成を示す回路図である。
照明装置８００は、商用電源などの交流電源ＡＣから供給される電力により光源を点灯する。照明装置８００は、電源装置１００と、２つの負荷回路８１０，８２０とを有する。
負荷回路８１０，８２０は、それぞれ、例えばＬＥＤなど直流電力により点灯する光源を１つ以上有する。負荷回路８１０，８２０が複数の光源を有する場合、複数の光源は、例えば互いに直列に電気接続している。負荷回路８１０の光源と、負荷回路８２０の光源とは、例えば発光色や相関色温度が異なる。照明装置８００は、２種類の光源をそれぞれ所望の明るさで点灯し、２種類の光源が発する光を混合することにより、例えば所望の相関色温度の光を合成して放射する。２つの負荷回路８１０，８２０は、互いに直列に電気接続し、電源装置１００の一対の出力端子に電気接続している。なお、２つの負荷回路８１０，８２０は、はんだ付けなどにより電源装置１００に固定された構成であってもよいし、コネクタやソケットなどを介して、電源装置１００に着脱自在に固定された構成であってもよい。
【００１０】
電源装置１００（ＬＥＤ点灯装置）は、交流電源ＡＣから供給される電力を、２つの負荷回路８１０，８２０に対して供給する電力に変換する。電源装置１００は、２つの負荷回路８１０，８２０を流れる電流の平均値がそれぞれの目標値に一致するよう、２つの負荷回路８１０，８２０に供給する電力を調整する。これにより、２つの負荷回路８１０，８２０の光源がそれぞれ所望の明るさで点灯する。なお、２つの負荷回路８１０，８２０を流れる電流の目標値は、あらかじめ定められた固定値であってもよいし、調光信号によって指示される調光度や、色温度信号によって指示される相関色温度などに基づいて算出した値であってもよい。電源装置１００は、例えば、直流電源回路１１０と、制御回路１２０と、２つのスイッチＱ３１，Ｑ３２と、２つの整流素子Ｄ３３，Ｄ３４と、コイルＬ３５と、２つのコンデンサＣ３６，Ｃ３７と、電流検出回路１４０とを有する。
直流電源回路１１０（直流電源）は、交流電源から供給される交流電力を、所定の電圧値を有する直流電力に変換する。直流電源回路１１０が生成する直流電力の電圧値は、２つの負荷回路８１０，８２０に目標値の電流を流したときの両端電圧の合計値よりも低く、それぞれの負荷回路８１０，８２０の両端電圧よりは高い。直流電源回路１１０の一対の出力端子は、そのまま電源装置１００の一対の出力端子にそれぞれ電気接続している。直流電源回路１１０は、例えば、全波整流回路と、スイッチングコンバータ回路と、平滑コンデンサとを有する。全波整流回路は、例えばダイオードブリッジを有し、交流電源から供給される交流電力を全波整流して電圧波形を脈流にする。スイッチングコンバータ回路は、全波整流回路が整流した脈流から、所定の電圧値を有する直流電力を生成する。スイッチングコンバータ回路は、非反転型もしくは反転型コンバータ回路であり、例えばＳＥＰＩＣ（Ｓｉｎｇｌｅ  Ｅｎｄｅｄ  Ｐｒｉｍａｒｙ  Ｉｎｄｕｃｔａｎｃｅ  Ｃｏｎｖｅｒｔｅｒ）回路である。スイッチングコンバータ回路は、ＳＥＰＩＣ回路、フライバックコンバータ回路、バックブーストコンバータ回路や反転型レギュレータなど、入力電圧より高い電圧を生成することも低い電圧を生成することも可能な回路であることが好ましい。なお、ＳＥＰＩＣ回路の２つのコイルは、磁気的に結合した構成であってもよいし、磁気的に分離した構成であってもよい。平滑コンデンサは、スイッチングコンバータ回路が生成した直流電力を平滑化する。なお、直流電源回路１１０は、他の構成であってもよいが、電源投入時に過大な突入電流が流入するのを防ぐため、交流電源側から見て静電容量が大きい平滑コンデンサが直接接続されない構成であることが望ましい。
２つのスイッチＱ３１，Ｑ３２は、互いに直列に電気接続され、直流電源回路１１０の一対の出力端子に電気接続している。スイッチＱ３１，Ｑ３２は、制御回路１２０からの制御信号をそれぞれ入力し、入力した制御信号にしたがって、別々にオンオフする。スイッチＱ３１，Ｑ３２は、例えばＭＯＳＦＥＴである。
整流素子Ｄ３３（ハイサイドダイオード）は、スイッチＱ３１（ハイサイド素子）と並列（逆並列）に電気接続している。整流素子Ｄ３４（ローサイドダイオード）は、スイッチＱ３２（ローサイド素子）と並列（逆並列）に電気接続している。整流素子Ｄ３３，Ｄ３４は、例えばダイオードである。整流素子Ｄ３３，Ｄ３４の向きは、直流電源回路１１０の出力電圧に対して逆向きである。すなわち、高電位側にカソード端子が接続し、低電位側にアノード端子が接続している。なお、整流素子Ｄ３３，Ｄ３４は、独立した素子ではなく、例えば、スイッチＱ３１，Ｑ３２として用いられるＭＯＳＦＥＴが内蔵するボディダイオードであってもよい。
コイルＬ３５は、２つのスイッチＱ３１，Ｑ３２の接続点に一方の端子が電気接続し、２つの負荷回路８１０，８２０の接続点に他方の端子が電気接続している。
コンデンサＣ３６は、負荷回路８１０と並列に電気接続している。コンデンサＣ３７は、負荷回路８２０と並列に電気接続している。
電流検出回路１４０は、直流電源回路１１０が出力する電流を検出する。なお、電流検出回路１４０は、コイルＬ３５を流れる電流や、負荷回路８１０，８２０を流れる電流など、他の電流を検出する構成であってもよい。また、電源装置１００は、異なる箇所の電流を検出する複数の電流検出回路１４０を有する構成であってもよい。電流検出回路１４０は、例えば、比較的小さい所定の抵抗値を有する抵抗であり、検出したい電流の流れる経路に挿入されている。電流検出回路１４０は、検出した電流の値を、抵抗の両端電圧として出力する。
制御回路１２０（発光ダイオード制御回路）は、２つのスイッチＱ３１，Ｑ３２のオンオフを制御する。制御回路１２０は、２つのスイッチＱ３１，Ｑ３２がそれぞれ入力する制御信号を生成する。制御回路１２０は、電流検出回路１４０が検出した電流に基づいて、負荷回路８１０，８２０を流れる電流の平均値がそれぞれ目標値に一致するように、２つのスイッチＱ３１，Ｑ３２を制御する。制御回路１２０は、例えば集積回路やマイコンなどである。
【００１１】
図２は、この実施の形態における電源装置１００の動作を示すタイミング図である。
横軸は、時刻を示す。縦軸は、状態または電流または電圧を示す。実線５０１は、スイッチＱ３１の状態を表わす。実線５０２は、スイッチＱ３２の状態を表わす。実線５０１，５０２は、横軸より上のときオン、横軸より下のときオフを表わす。実線５１１は、コイルＬ３５を流れる電流を表わす。実線５１２は、直流電源回路１１０が出力する電流を表わす。破線５１３は、負荷回路８１０を流れる電流を表わす。点線５１４は、負荷回路８２０を流れる電流を表わす。細い破線５２１は、直流電源回路１１０が出力する電圧を表わす。破線５２２は、負荷回路８２０の両端電圧（２つの負荷回路８１０，８２０の接続点の電位）を表わす。実線５２３は、スイッチＱ３２の両端電圧（２つのスイッチＱ３１，Ｑ３２の接続点の電位）を表わす。
電源装置１００は、２つの給電期間５９１，５９２（動作期間）を交互に繰り返す。給電期間５９１において、電源装置１００は、負荷回路８２０に対して電力を供給し、負荷回路８２０の光源が点灯する。給電期間５９２において、電源装置１００は、負荷回路８１０に対して電力を供給し、負荷回路８１０の光源が点灯する。給電期間５９１，５９２の繰り返し周波数は、光源の点滅が人間の目にちらつきとして認識されない周波数であり、例えば１００Ｈｚ以上である。給電期間５９１の長さと、給電期間５９２の長さとの比率を変えることにより、負荷回路８１０を流れる電流の平均値と、負荷回路８２０を流れる電流の平均値との比率が変わる。例えば、制御回路１２０は、調光信号や色温度信号を入力し、入力した調光信号や色温度信号に基づいて２つの負荷回路８１０，８２０それぞれを流れる電流の目標値を算出し、算出した目標値に基づいて２つの給電期間５９１，５９２それぞれの長さを算出する。制御回路１２０は、算出した２つの給電期間５９１，５９２それぞれの長さに基づいて、２つのスイッチＱ３１，Ｑ３２をそれぞれ制御する制御信号を生成する。
給電期間５９１（第一の給電期間）において、制御回路１２０は、スイッチＱ３２（第一のスイッチ）を継続してオフにする制御信号を生成し、スイッチＱ３１（第二のスイッチ）を繰り返しオンオフする制御信号を生成する。また、給電期間５９２（第二の給電期間）において、制御回路１２０は、スイッチＱ３１を継続してオフにする制御信号を生成し、スイッチＱ３２を繰り返しオンオフする制御信号を生成する。２つのスイッチＱ３１，Ｑ３２は、制御回路１２０が生成した制御信号にしたがってオンオフする。
【００１２】
給電期間５９１において、スイッチＱ３１がオンになると、コイルＬ３５の両端には、直流電源回路１１０の出力電圧と、負荷回路８２０の両端電圧との差電圧（負荷回路８１０の両端電圧）が印加される。これにより、コイルＬ３５に、スイッチＱ３１，Ｑ３２の接続点側から負荷回路８１０，８２０の接続点側へ向かう（図１で右向きの）電流が流れる。制御回路１２０は、コイルＬ３５を流れる電流が所定の値に達したとき、スイッチＱ３２をオフにする。コイルＬ３５を流れていた電流が急激に減少するので、コイルＬ３５の両端に逆電圧が発生し、整流素子Ｄ３４がオンになる。コイルＬ３５の両端には、負荷回路８２０の両端電圧が逆向きに印加される。これにより、コイルＬ３５を流れる電流（回生電流）が徐々に減っていく。コイルＬ３５を流れる電流が０になると、整流素子Ｄ３４がオフになる。制御回路１２０は、コイルＬ３５を流れる電流が０になったのち、スイッチＱ３１を再びオンにする。制御回路１２０は、これを繰り返して、スイッチＱ３１を繰り返しオンオフする。
コイルＬ３５を流れる電流により、コンデンサＣ３６が放電し、コンデンサＣ３７が充電される。これにより、負荷回路８２０の両端電圧が上昇して、負荷回路８２０に電流が流れる。逆に、負荷回路８１０の両端電圧は下降して、負荷回路８１０には電流が流れない。
【００１３】
給電期間５９２において、スイッチＱ３２がオンになると、コイルＬ３５の両端には、負荷回路８２０の両端電圧が印加される。これにより、コイルＬ３５に、負荷回路８１０，８２０の接続点側からスイッチＱ３１，Ｑ３２の接続点側へ向かう（図１で左向きの）電流が流れる。制御回路１２０は、コイルＬ３５を流れる電流が所定の値に達したとき、スイッチＱ３１をオフにする。コイルＬ３５を流れていた電流が急激に減少するので、コイルＬ３５の両端に逆電圧が発生し、整流素子Ｄ３３がオンになる。コイルＬ３５の両端には、負荷回路８１０の両端電圧が逆向きに印加される。これにより、コイルＬ３５を流れる電流（回生電流）が徐々に減っていく。コイルＬ３５を流れる電流が０になると、整流素子Ｄ３３がオフになる。制御回路１２０は、コイルＬ３５を流れる電流が０になったのち、スイッチＱ３２を再びオンにする。制御回路１２０は、これを繰り返して、スイッチＱ３２を繰り返しオンオフする。
コイルＬ３５を流れる電流により、コンデンサＣ３６が充電され、コンデンサＣ３７が放電する。これにより、負荷回路８１０の両端電圧が上昇して、負荷回路８１０に電流が流れる。逆に、負荷回路８２０の両端電圧は下降して、負荷回路８２０には電流が流れない。
【００１４】
なお、制御回路１２０は、コイルＬ３５を流れる電流が所定の値に達したときにスイッチＱ３１，Ｑ３２をオフするのではなく、スイッチＱ３１，Ｑ３２をオンしてから所定の時間が経過したときにスイッチＱ３１，Ｑ３２をオフする構成であってもよい。また、制御回路１２０は、コイルＬ３５を流れる電流が０になったのちにスイッチＱ３１，Ｑ３２を再びオンにするのではなく、コイルＬ３５を流れる電流が０になる前にスイッチＱ３１，Ｑ３２を再びオンにする構成（いわゆる連続モード動作）であってもよい。
また、制御回路１２０は、２つの給電期間５９１，５９２において、スイッチＱ３１，Ｑ３２をオフするコイル電流の閾値を異なる値とする構成であってもよい。また、制御回路１２０は、負荷回路８１０，８２０を流れる電流の平均値の目標値に基づいて、スイッチＱ３１，Ｑ３２をオフするコイル電流の閾値を算出する構成であってもよい。そうすれば、２つの負荷回路８１０，８２０を流れる電流の比率を更に大きく変えることができる。その場合、２つの給電期間５９１，５９２の長さを、あらかじめ定められた固定時間とする構成であってもよい。
【００１５】
なお、この図に示したように、直流電源回路１１０の出力電流は、コイルＬ３５を流れる電流の変化に対応して変化する。このため、直流電源回路１１０の出力電流を電流検出回路１４０が検出する構成でも、コイルＬ３５を流れる電流に基づいて制御回路１２０がスイッチＱ３１，Ｑ３２をオンオフすることができる。
【００１６】
このようにして、電源装置１００は、２つの負荷回路８１０，８２０に交互に電流を流す。電流を流す負荷回路８１０，８２０を切り替えるとき、これから電流を流す負荷回路の両端電圧が低く、徐々に両端電圧を上げていくので、２つの負荷回路８１０，８２０のインピーダンスが大きく異なる場合でも、過渡的に大きな電流が流れるのを防ぐことができる。
また、それぞれの負荷回路８１０，８２０に対して別々に電力を供給する構成と比べると、コイルＬ３５が一つでよいので、電源装置１００を小型化することができる。
また、それぞれの給電期間５９１，５９２の長さや、給電期間５９１，５９２においてスイッチＱ３１，Ｑ３２をオンオフするタイミングや周波数などを調整することにより、負荷回路８１０，８２０をそれぞれ流れる電流の平均値を変えることができることができるので、電源装置１００が負荷回路８１０，８２０に対して供給する電力を変えることができ、照明装置８００が放射する光の相関色温度を広い範囲で変えることができる。
【００１７】
なお、給電期間５９１において、制御回路１２０は、スイッチＱ３１をオフして整流素子Ｄ３４がオンになったのち、整流素子Ｄ３４と並列に電気接続されているスイッチＱ３２をオンし、コイルＬ３５を流れる電流が０になって整流素子Ｄ３４がオフになる前に、スイッチＱ３２をオフする構成であってもよい。同様に、給電期間５９２において、制御回路１２０は、スイッチＱ３２をオフして整流素子Ｄ３３がオンになったのち、整流素子Ｄ３３と並列に電気接続されているスイッチＱ３１をオンし、コイルＬ３５を整流素子Ｄ３３がオフになる前に、スイッチＱ３１をオフする構成であってもよい。
そのような構成とする場合でも、コイルＬ３５を流れる電流は、給電期間５９１では、スイッチＱ３１、Ｑ３２の接続点から負荷回路８１０，８２０の接続点へ向かう電流であり、給電期間５９２では、負荷回路８１０，８２０の接続点からスイッチＱ３１、Ｑ３２の接続点へ向かう電流である。給電期間ごとに見ると、コイルＬ３５を流れる電流は、一方向であって、交流ではない。
【００１８】
実施の形態２．
実施の形態２について、図３〜図５を用いて説明する。
なお、実施の形態１と共通する部分については、同一の符号を付し、説明を省略する。
【００１９】
図３は、この実施の形態における照明装置８００の構成を示す回路図である。
電源装置１００は、実施の形態１で説明したコンデンサＣ３６がなく、それ以外は、実施の形態１で説明した電源装置１００と同様である。
実施の形態１で説明した２つのコンデンサＣ３６，Ｃ３７は、直流電源回路１１０を介して等価的に並列に接続されている。このため、電源装置１００は、コンデンサＣ３６がなくても、実施の形態１の電源装置１００と同様に動作する。このような構成とすることにより、電源装置１００の部品数を少なくすることができる。
【００２０】
図４は、この実施の形態における照明装置８００の構成の別の例を示す回路図である。
電源装置１００は、実施の形態１で説明したコンデンサＣ３７がなく、それ以外は、実施の形態１で説明した電源装置１００と同様である。
上述した例とは逆に、コンデンサＣ３６を残し、コンデンサＣ３７をなくしても、実施の形態１の電源装置１００と同様に動作する。
【００２１】
図５は、この実施の形態における照明装置８００の構成の更に別の例を示す回路図である。
電源装置１００は、実施の形態１で説明した２つのコンデンサＣ３６，Ｃ３７がなく、それ以外は、実施の形態１で説明した電源装置１００と同様である。
実施の形態１で説明したコンデンサＣ３６，Ｃ３７は、負荷回路８１０，８２０を流れる電流を平滑化するために設けるものである。したがって、コンデンサＣ３６，Ｃ３７がなくても、電源装置１００は、同様に動作する。
なお、この構成の場合、コンデンサＣ３６，Ｃ３７を充放電する必要がないので、給電期間５９１，５９２の長さを短くしてもよい。例えば、スイッチＱ３１，Ｑ３２をオンオフする一周期ごとに給電期間を切り替える構成であってもよい。すなわち、制御回路１２０は、スイッチＱ３１をオンにして、負荷回路８２０に電流を流し、コイルＬ３５を流れる電流が所定の値に達したとき、スイッチＱ３１をオフにして、整流素子Ｄ３４がオンになったのち、整流素子Ｄ３４と並列に接続されたスイッチＱ３２をオンにする。コイルＬ３５を流れる電流が０になると、整流素子Ｄ３４はオフになるが、スイッチＱ３２がオンなので、コイルＬ３５に逆向きの電流が流れる。これにより、負荷回路８２０を流れる電流は０になり、負荷回路８１０に電流が流れる。制御回路１２０は、コイルＬ３５を流れる電流が所定の値に達したとき、スイッチＱ３２をオフにして、整流素子Ｄ３４がオンになったのち、整流素子Ｄ３３と並列に接続されたスイッチＱ３１をオンにする。これを繰り返すことにより、２つの負荷回路８１０，８２０に電力を供給する。
【００２２】
実施の形態３．
実施の形態３について、図６を用いて説明する。
なお、実施の形態１または実施の形態２と共通する部分については、同一の符号を付し、説明を省略する。
【００２３】
図６は、この実施の形態における照明装置８００の構成を示す回路図である。
電源装置１００は、実施の形態１で説明したコイルＬ３５が、直列に電気接続した２つのコイルＬ３５，Ｌ３８に分かれ、２つのコンデンサＣ３６，Ｃ３７を２つのコイルＬ３５，Ｌ３８の接続点に接続したものである。なお、実施の形態２と同様、２つのコンデンサＣ３６，Ｃ３７のうちのいずれかはなくてもよい。
コイルＬ３８は、２つの負荷回路８１０，８２０を流れる電流の変化を抑え、リプルを減少させる。それ以外の点において、電源装置１００の動作は、実施の形態１で説明した電源装置１００と同様である。
【００２４】
実施の形態４．
実施の形態４について、図７を用いて説明する。
なお、実施の形態１〜実施の形態３と共通する部分については、同一の符号を付し、説明を省略する。
【００２５】
図７は、この実施の形態における照明装置８００の構成を示す回路図である。
電源装置１００は、実施の形態１で説明した構成に加えて、更に、２つの整流素子Ｄ５１，Ｄ５２を有する。整流素子Ｄ５１は、負荷回路８１０と並列に電気接続されている。整流素子Ｄ５２は、負荷回路８２０と並列に電気接続されている。２つの整流素子Ｄ５１，Ｄ５２の向きは、整流素子Ｄ３３，Ｄ３４と同様、直流電源回路１１０の出力電圧に対して逆向きである。
電源装置１００が正常に動作している場合、２つの整流素子Ｄ５１，Ｄ５２には、逆電圧が印加され、オフである。したがって、電源装置１００は、実施の形態１で説明した電源装置１００と同様に動作する。
コンデンサＣ３６，Ｃ３７の瞬間的な断線や、負荷回路８１０，８２０の外れなどの異常が発生して、負荷回路８１０，８２０に逆電圧が印加されそうになると、並列に接続された整流素子Ｄ５１，Ｄ５２がオンになるので、負荷回路８１０，８２０に逆電圧が印加されるのを防ぐことができる。これにより。負荷回路８１０，８２０が故障したり、寿命が短くなったりするのを防ぐことができる。
【符号の説明】
【００２６】
１００  電源装置、１１０  直流電源回路、１２０  制御回路、１４０  電流検出回路、５０１，５０２，５１１，５１２，５２３  実線、５１３，５２１，５２２  破線、５１４  点線、８００  照明装置、８１０，８２０  負荷回路、ＡＣ  交流電源、Ｃ３６，Ｃ３７  コンデンサ、Ｄ３３，Ｄ３４，Ｄ５１，Ｄ５２  整流素子、Ｌ３５，Ｌ３８  コイル、Ｑ３１，Ｑ３２  スイッチ。
【図１】
2012221700.tif 000003
【図２】
2012221700.tif 000004
【図３】
2012221700.tif 000005
【図４】
2012221700.tif 000006
【図５】
2012221700.tif 000007
【図６】
2012221700.tif 000008
【図７】
2012221700.tif 000009